(57)【要約】【課題】停電時であっても、受信したファクシミリ文書を可能な限り出力する。【解決手段】商用電源とバックアップ電源との何れかによって駆動する画像通信装置であって、画像データを受信する受信手段と、受信手段によって画像データを受信しているとき、バックアップ電源によって駆動しているか否かを判断する判断手段と、判断手段によってバックアップ電源によって駆動していると判断すると、受信している画像データを自動出力する出力手段と、を含む。【選択図】図４
2015109486.tif 000002
【特許請求の範囲】
【請求項１】
商用電源とバックアップ電源との何れかによって駆動する画像通信装置であって、
画像データを受信する受信手段と、
前記受信手段によって前記画像データを受信しているとき、前記バックアップ電源によって駆動しているか否かを判断する判断手段と、
前記判断手段によって前記バックアップ電源によって駆動していると判断すると、前記受信している画像データを自動出力する出力手段と、
を含むことを特徴とする画像通信装置。
【請求項２】
商用電源の復旧又は充電済のバックアップ電源への交換を検出する検出手段と、前記受信手段によって受信する画像データを蓄積する蓄積手段と、前記蓄積手段に画像データが蓄積されているか否かを判定する判定手段とを含み、前記検出手段によって前記商用電源の復旧又は前記充電済バックアップ電源への交換を検出すると、前記蓄積手段に蓄積されている画像データを自動出力することを特徴とする請求項１に記載の画像通信装置。
【請求項３】
前記判断手段によって前記バックアップ電源で駆動していると判断したとき、前記受信手段によって受信する画像データを自動出力するか否かを予め設定する設定手段を含み、前記設定手段によって画像データを自動出力すると設定されていると、前記受信している画像データ又は前記蓄積手段に蓄積されている画像データを自動出力することを特徴とする請求項２に記載の画像通信装置。
【請求項４】
前記設定手段によって前記バックアップ電源の容量が所定の閾値以下のとき画像データを自動出力しないと設定されていると、前記受信している画像データ又は前記蓄積手段に蓄積されている画像データを自動出力しないことを特徴とする請求項３に記載の画像通信装置。
【請求項５】
前記設定手段によって前記バックアップ電源で駆動しているとき画像データを自動出力しないと設定されているとき、又は前記バックアップ電源の容量が所定の閾値以下のとき画像データを自動出力しないと設定されているとき、前記受信している画像データを前記蓄積手段に蓄積することを特徴とする請求項３に記載の画像通信装置。
【請求項６】
前記設定する手段によって前記バックアップ電源で駆動しているとき画像データを自動出力しないと設定されているとき、又は前記バックアップ電源の容量が所定の閾値以下のとき画像データを自動出力しないと設定されているとき、前記蓄積手段に蓄積されている画像データを自動出力することなく、前記蓄積手段に画像データが蓄積されているか否かを判定することを特徴とする請求項３に記載の画像通信装置。
【請求項７】
商用電源とバックアップ電源との何れかによって駆動する画像通信装置の制御方法であって、
画像データを受信する工程と、
前記受信する工程によって前記画像データを受信しているとき、前記バックアップ電源によって駆動しているか否かを判断する工程と、
前記判断する工程によって前記バックアップ電源によって駆動していると判断すると、前記受信している画像データを自動出力する工程と、
を含むことを特徴とする制御方法。
【請求項８】
商用電源とバックアップ電源との何れかによって駆動する画像通信装置のコンピュータに、
画像データを受信する処理と、
前記受信する処理によって前記画像データを受信しているとき、前記バックアップ電源によって駆動しているか否かを判断する処理と、
前記判断する処理によって前記バックアップ電源によって駆動していると判断すると、前記受信している画像データを自動出力する処理と、
を実現させるためのプログラム。
【発明の詳細な説明】
【技術分野】
【０００１】
本発明は、画像通信装置、制御方法、及びプログラムに関する。
【背景技術】
【０００２】
災害発生時や、停電が頻発する新興国等においては、商用電源の供給が停止した場合であっても動作可能となるよう、無停電電源装置が接続されている、又はバックアップ用電源が予め内蔵されている画像通信装置が既に知られている。
【０００３】
特許文献１には、商用電源の供給がされていない停電時であっても、ファクシミリ装置の受信文書の内容を確認することを目的に、無停電電源装置が停電信号に反応し、停電時にファクシミリ装置で受信した文書を蓄積手段に蓄積し、別の画像通信装置へ送信するファクシミリ装置が開示されている。
【発明の概要】
【発明が解決しようとする課題】
【０００４】
しかしながら、従来の画像通信装置は、停電時において、できるだけ長時間動作しようとするため、省エネモードに移行してしまう。そうすると、停電中に受信したファクシミリ文書は出力しないという動作制御になってしまうという問題があった。中でも、災害発生時は、情報収集が必要となるため、停電時において受信したファクシミリ文書を可能な限り出力することが求められるが、そのような動作制御となっていないという問題があった。
【０００５】
また、特許文献１は、停電時に受信した文書を蓄積手段に蓄積している。しかしながら、停電時であっても、受信した文書を可能な限り出力するという動作制御となっておらず、停電時において受信したファクシミリ文書を可能な限り出力できないという問題は依然として解消されていない。
【０００６】
そこで、本発明は、上記従来技術の問題点に鑑みてなされたものであって、停電時であっても、受信したファクシミリ文書を可能な限り出力することが可能な画像通信装置を提供することを目的とする。
【課題を解決するための手段】
【０００７】
上記課題を解決するため、請求項１に記載の本発明における画像通信装置は、商用電源とバックアップ電源との何れかによって駆動する画像通信装置であって、画像データを受信する受信手段と、前記受信手段によって前記画像データを受信しているとき、前記バックアップ電源によって駆動しているか否かを判断する判断手段と、前記判断手段によって前記バックアップ電源によって駆動していると判断すると、前記受信している画像データを自動出力する出力手段と、を含むことを特徴とする。
【発明の効果】
【０００８】
本発明によれば、停電時であっても、バッテリ残量に応じて、受信したファクシミリ文書を可能な限り出力することが可能な画像通信装置を得ることができる。
【図面の簡単な説明】
【０００９】
【図１】本実施形態に係る画像通信装置の一例であるファクシミリ装置の概略構成を示すブロック図である。
【図２】本実施形態に係る画像通信装置の一例であるファクシミリ装置において、バッテリ駆動時の受信動作の設定を操作表示部（オペボード）に表示した場合の例を示す図である。
【図３】本実施形態に係る画像通信装置の一例であるファクシミリ装置において、メモリに蓄積されたファクシミリの受信文書を出力する場合の選択画面を操作表示部（オペボード）に表示した場合の例を示す図である。
【図４】本実施形態に係る画像通信装置の一例であるファクシミリ装置の受信時の動作について説明するフロー図である。
【図５】本実施形態に係る画像通信装置の一例であるファクシミリ装置において、停電が復旧した場合、又は充電済バックアップ電源に交換した場合に、メモリに蓄積されたファクシミリの受信文書を出力する時の動作について説明するフロー図である。
【発明を実施するための形態】
【００１０】
本発明は、停電時にファクシミリを受信した場合の動作に関するものである。具体的には、停電時に受信されたファクシミリ文書の出力態様に関し、ユーザが予め選択する手段を有している点が特徴となっている。
【００１１】
以下、本発明を実施するための形態について図面を参照して詳細に説明する。なお、各図中、同一又は相当する部分には同一の符号を付しており、その重複説明は適宜に簡略化乃至省略する。
【００１２】
まず、本実施形態に係る画像通信装置の一例であるファクシミリ装置の概略構成について説明する。図１は、本実施形態に係る画像通信装置の一例であるファクシミリ装置の概略構成を示すブロック図である。
【００１３】
本実施形態に係る画像通信装置の一例であるファクシミリ装置１００は、読取部（スキャナ）１、制御部２、書込部（プロッタ）３、操作表示部（オペボード）４、不揮発性メモリ５、メモリ（ＲＡＭ：Random Access Memory）６、を備えている。また、ファクシミリ装置１００は、画情報圧縮再生部（ＤＣＲ：Data Compression and Reconstruction）７、ファクシミリ通信制御部（ＣＣＵ：Communication Control Unit）８を備えている。さらに、ファクシミリ装置１００は、ＬＡＮ（Local Area Network）制御部９、バッテリ１０を備えている。
【００１４】
操作表示部（オペボード）４は、ＩＣ（Integrated Circuit）カード、ＵＳＢ（Universal Serial Bus）メモリ、ＳＤ（Security Digital）カードの挿入口や、非接触ＩＣカードリーダを内蔵していても良い。また、不揮発性メモリ５は、ファクシミリ装置１００の動作制御プログラムや、ファクシミリ装置１００の設定等を記憶すると共に、画像データも記憶する。さらに、不揮発性メモリ５は、ハードディクス等であっても良い。
【００１５】
ＬＡＮ制御部９は、ＴＣＰ／ＩＰ（Transmission Control Protocol/Internet Protocol）、ＳＭＴＰ（Simple Mail Transfer Protocol）、等の通信プロトコル制御を行う。また、ＬＡＮ制御部９は、ＰＯＰ（Post Office Protocol）３、Ｈ．３２３、ＳＩＰ（Session Initial Protocol）等の通信プロトコル制御を行う。さらに、ＭＩＭＥ（Multipurpose Internet Mail Extensions）形式のメールを作成する機能も持つ。さらに、無線ＬＡＮを有し、Ａｄｈｏｃ機能を有していても良い。
【００１６】
ファクシミリ装置１００は、商用電源が供給されている場合は商用電源で動作すると共に、バックアップ用の電源であるバッテリ１０の充電も行う。バッテリ１０は、ファクシミリ装置１００のバッテリ１０による駆動状態や、バッテリ残容量を制御部２に対して通知する機能を持つ。停電時のバックアップ電源は、ファクシミリ装置１００に内蔵されているバッテリ１０以外に、外付けの無停電電源装置であっても良い。
【００１７】
次に、本実施形態に係る画像通信装置の一例であるファクシミリ装置において、バッテリ駆動時の受信動作の設定を操作表示部（オペボード）に表示した場合について説明する。図２は、本実施形態に係る画像通信装置の一例であるファクシミリ装置において、バッテリ駆動時の受信動作の設定を操作表示部（オペボード）に表示した場合の例を示す図である。
【００１８】
本実施形態に係る画像通信装置の一例であるファクシミリ装置１００では、停電時のバッテリ１０による駆動時に、ファクシミリの受信が発生した場合に如何なる動作をするかを、予め操作表示部（オペボード）４を用いて選択することが可能である。選択された動作は、不揮発性メモリ５に記憶される。
【００１９】
例えば、バッテリ駆動時受信動作設定２００において、自動出力する２０１、バッテリニアエンド時に自動出力しない２０２、バッテリ駆動時は自動出力しない２０３、の何れかを予め選択することができる。自動出力する２０１は、バッテリ１０による駆動時であっても、ファクシミリの受信文書の画像データを無条件に出力する場合に選択する。
【００２０】
バッテリニアエンド時に自動出力しない２０２は、バッテリ１０による駆動時において、バッテリ１０の残容量が一定の閾値以下の場合（以下、この状態を、「バッテリニアエンド状態」という。）には、受信文書の画像データを自動出力しない場合に選択する。この閾値は、ユーザが任意の値に設定できるようになっていても良い。バッテリ駆動時は自動出力しない２０３は、バッテリ１０による駆動時は、受信文書の画像データを自動出力せず、不揮発性メモリ５に蓄積する場合に選択する。
【００２１】
次に、本実施形態に係る画像通信装置の一例であるファクシミリ装置において、メモリに蓄積されたファクシミリの受信文書を出力する場合の選択画面を操作表示部（オペボード）に表示した場合について説明する。図３は、本実施形態に係る画像通信装置の一例であるファクシミリ装置において、メモリに蓄積されたファクシミリの受信文書を出力する場合の選択画面を操作表示部（オペボード）に表示した場合の例を示す図である。
【００２２】
受信文書一覧３００において、例えば、ＲＩＣＯＨ（登録商標）３０１、○○シヤクショ３０２、○○ケイサツショ３０３は、それぞれ不揮発性メモリ５に蓄積された受信文書の画像データの送信元の名称が、操作表示部（オペボード）４に表示される。ＲＩＣＯＨ３０１、○○シヤクショ３０２、○○ケイサツショ３０３のうちの何れかのボタンが選択されると、不揮発性メモリ５に蓄積された受信文書の画像データが出力される。出力が完了すると、当該受信文書の画像データが不揮発性メモリ５から削除される。
【００２３】
ボタン３０４は、新しい受信文書を表示する画面に遷移するためのボタンであり、ボタン３０５は、古い受信文書を表示する画面に遷移するためのボタンである。
【００２４】
次に、本実施形態に係る画像通信装置の一例であるファクシミリ装置の受信時の動作について説明する。図４は、本実施形態に係る画像通信装置の一例であるファクシミリ装置の受信時の動作について説明するフロー図である。
【００２５】
図４において、ステップ（以下、Ｓという。）４０１の処理では、制御部２はバッテリ１０の状態を調べ、ファクシミリ装置１００が、バッテリ１０で駆動しているか否かを判断する。バッテリ１０で駆動している（Ｓ４０１：Ｙｅｓ）と判断すると、Ｓ４０２の処理へ移行し、バッテリ１０で駆動していない（商用電源で駆動している）と判断すると、Ｓ４０４の処理へ移行する。
【００２６】
Ｓ４０２の処理では、制御部２は不揮発性メモリ５からバッテリ駆動時受信動作設定２００（図２）を読み出し、自動出力する２０１が選択されている場合は、Ｓ４０４の処理へ移行する。バッテリニアエンド時に自動出力しない２０２が選択されている場合は、Ｓ４０３の処理へ移行する。バッテリ駆動時は自動出力しない２０３が選択されている場合は、Ｓ４０５の処理へ移行する。
【００２７】
Ｓ４０３の処理では、制御部２はバッテリ１０の残容量を調べ、バッテリニアエンド状態であるか否かを判断する。バッテリニアエンド状態である（Ｓ４０３：Ｙｅｓ）と判断すると、Ｓ４０５の処理へ移行する。バッテリニアエンド状態でない（Ｓ４０３：Ｎｏ）と判断すると、Ｓ４０４の処理へ移行する。
【００２８】
Ｓ４０４の処理では、ファクシミリ通信制御部（ＣＣＵ）８から受信した受信文書の画像データを書込部（プロッタ）３から出力し、出力完了後、不揮発性メモリ５から受信文書の画像データを削除し、処理を終了する。これにより、災害発生時等、どうしても出力したい画像データのみを選択して出力することが可能となる。Ｓ４０５の処理では、ファクシミリ通信制御部（ＣＣＵ）８から受信した受信文書の画像データを不揮発性メモリ５に蓄積し、処理を終了する。
【００２９】
次に、本実施形態に係る画像通信装置の一例であるファクシミリ装置において、停電が復旧した場合、又は充電済バックアップ電源に交換した場合に、メモリに蓄積されたファクシミリの受信文書を出力する時の動作について説明する。図５は、本実施形態に係る画像通信装置の一例であるファクシミリ装置において、停電が復旧した場合、又は充電済バックアップ電源に交換した場合に、メモリに蓄積されたファクシミリの受信文書を出力する時の動作について説明するフロー図である。
【００３０】
停電が復旧したこと、又は充電済のバックアップ電源に交換したことが検出されると、Ｓ５０１の処理では、制御部２は不揮発性メモリ５の状態を調べ、不揮発性メモリ５に受信文書の画像データがあるか否かを判定する。受信文書の画像データがある（Ｓ５０１：Ｙｅｓ）と判定すると、Ｓ５０２の処理へ移行し、受信文書の画像データがない（Ｓ５０１：Ｎｏ）と判定すると、Ｓ５０１の処理へ戻る。
【００３１】
Ｓ５０２の処理では、制御部２はバッテリ１０の状態を調べ、ファクシミリ装置１００が、バッテリ１０で駆動しているか否かを判断する。バッテリ１０で駆動している（Ｓ５０２：Ｙｅｓ）と判断すると、Ｓ５０３の処理へ移行し、バッテリ１０で駆動していない（商用電源で駆動している）と判断すると、Ｓ５０５の処理へ移行する。
【００３２】
Ｓ５０３の処理では、制御部２は不揮発性メモリ５からバッテリ駆動時受信動作設定２００（図２）を読み出し、自動出力する２０１が選択されている場合は、Ｓ５０５の処理へ移行する。バッテリニアエンド時に自動出力しない２０２が選択されている場合は、Ｓ５０４の処理へ移行する。バッテリ駆動時は自動出力しない２０３が選択されている場合は、Ｓ５０１の処理へ戻る。
【００３３】
Ｓ５０４の処理では、制御部２はバッテリ１０の残容量を調べ、バッテリニアエンド状態であるか否かを判断する。バッテリニアエンド状態である（Ｓ５０４：Ｙｅｓ）と判断すると、Ｓ５０１の処理へ戻る。バッテリニアエンド状態でない（Ｓ５０４：Ｎｏ）と判断すると、Ｓ５０５の処理へ移行する。
【００３４】
Ｓ５０５の処理では、ファクシミリ通信制御部（ＣＣＵ）８から受信した受信文書の画像データを書込部（プロッタ）３から出力し、出力が完了後、不揮発性メモリ５から受信文書の画像データを削除し、Ｓ５０１の処理へ戻る。これにより、停電が復旧した場合、又は充電済バックアップ電源に交換した場合に、自動的に不揮発性メモリ５に蓄積されている画像データを出力することが可能となる。Ｓ５０１の処理では、再度、制御部２は不揮発性メモリ５の状態を調べ、不揮発性メモリ５にメモリ受信文書の画像データがあるか否かを判断する。
【００３５】
このように、本発明によれば、停電時に受信したファクシミリ文書の出力態様をユーザが予め選択しておくことにより、停電時であっても、バッテリ残量に応じて、受信したファクシミリ文書を可能な限り出力することが可能な画像通信装置を得ることができる。
【００３６】
なお、図４、及び図５に示した本実施形態に係る画像通信装置を構成する各機能ブロックの各動作は、コンピュータ上のプログラムに実行させることもできる。すなわち、ファクシミリ装置１００の制御部２内の図示しないＣＰＵ（Central Processing Unit）が、不揮発性メモリ５に格納されたプログラムをロードする。そして、プログラムの各処理ステップが順次実行されることによって実現される。
【００３７】
本発明によれば、停電時であっても、バッテリ残量に応じて、受信したファクシミリ文書を可能な限り出力することが可能な画像通信装置、制御方法、及びプログラムが得られる。
【００３８】
以上、本発明の好適な実施形態により本発明を説明した。ここでは特定の具体例を示して本発明を説明したが、特許請求の範囲に定義された本発明の広範囲な趣旨及び範囲から逸脱することなく、これら具体例に様々な修正及び変更が可能である。
【符号の説明】
【００３９】
１    読取部（スキャナ）
２    制御部
３    書込部（プロッタ）
４    操作表示部（オペボード）
５    不揮発性メモリ
６    メモリ（ＲＡＭ）
７    画情報圧縮再生部（ＤＣＲ）
８    ファクシミリ通信制御部（ＣＣＵ）
９    ＬＡＮ制御部
１０    バッテリ
１００    ファクシミリ装置
２００    バッテリ駆動時受信動作設定
３００    受信文書一覧
３０４、３０５    ボタン
【先行技術文献】
【特許文献】
【００４０】
【特許文献１】特開２００５−０２６８５５号公報
【図１】
2015109486.tif 000003
【図２】
2015109486.tif 000004
【図３】
2015109486.tif 000005
【図４】
2015109486.tif 000006
【図５】
2015109486.tif 000007